(57)【要約】      （修正有）【課題】吸込口本体を持ち上げて接続管が最下方に回動した際に回転管が左右回動することを長期間にわたって防止すると共に、使用中は回転管が円滑に左右回動して使用感を損なうことがない電気掃除機用吸込口体を提供すること。【解決手段】吸込口本体２１と、吸込口本体２１の後方に左右回動自在に取り付けられた回転管２２と、回転管２２の軸線Ｊ２に対して上下回動自在に取り付けられ且つ回転管２２に連通する接続管２３とを備えた電気掃除機用吸込口体２０であって、吸込口本体２１及び接続管２３には、接続管２３が最下方に回動させられた時に回転管２２の左右回動を防止する回動防止手段３０を設けた。【選択図】図３
2005046235.tif 000002
【特許請求の範囲】
【請求項１】
底面に開口する吸込室を有する吸込口本体と、前記吸込口本体の後方に左右回動自在に取り付けられ且つ前記吸込室に連通する回転管と、前記回転管の軸線に対して上下回動自在に取り付けられ且つ前記回転管に連通する接続管とを備えた電気掃除機用吸込口体であって、
前記吸込口本体及び前記接続管には、前記接続管が最下方に回動させられた時に前記回転管の左右回動を防止する回動防止手段が設けられたことを特徴とする電気掃除機用吸込口体。
【請求項２】
前記回転管の軸線は、前記吸込口本体の重心とずれていることを特徴とする請求項１に記載の電気掃除機用吸込口体。
【請求項３】
前記回動防止手段は、前記回転管が最下方の位置から上方に向かって回動した時に解除することを特徴とする請求項１又は２に記載の電気掃除用吸込口体。
【請求項４】
請求項１〜３のいずれか一項に記載の電気掃除機用吸込口体を備えた電気掃除機。
【発明の詳細な説明】
【０００１】
【発明の属する技術分野】
この発明は、吸込口本体の後方に左右回動自在に取り付けられた回転管と、この回転管に対して上下回動自在に取り付けられた接続管とを備えた電気掃除機用吸込口体及び電気掃除機に関するものである。
【０００２】
【従来の技術】
従来の電気掃除機用吸込口体として、図６に示すようなものが知られている（例えば、特許文献１参照）。
【０００３】
この電気掃除機用吸込口体（以下、吸込口体という）１は、左右方向に長い吸込口本体２と、この吸込口本体２の長手方向に直交する軸線回りに左右回動自在に取り付けられた回転管３と、この回転管３の軸線に対して上下回動自在に取り付けられた接続管４とを備えている。なお、回転管３の回動方向は図６（ａ）中に矢印Ｘで示し、接続管４の回動方向は矢印Ｙで示す。
【０００４】
吸込口本体２内には底面に開口する吸込室２ａが形成され、この吸込室２ａ内には回転清掃体２ｂが回動自在に配設されている。さらに、吸込口本体２内には回転清掃体２ｂを回動させるモータＭが配置されている。
【０００５】
このモータＭは、吸込口本体２の長手方向中央部に位置する回転管３の側方に配置されており、回転管３を挟んで反対側には図示しない回路基板等が配置されている。
【０００６】
また、吸込室２ａには、図６（ｂ）に示すように回転管３が連通し、この回転管３には接続管４が連通している。
【０００７】
そして、この吸込口体１を使用するには、電動送風機を内蔵した図示しない掃除機本体に取り付けられた集塵ホース（図示せず）の先端に装着する。そして、この吸込口体１を被清掃面上で移動させながら吸込室２ａの開口から塵埃を吸い込んでいく。
【０００８】
吸込室２ａ内に吸い込まれた塵埃は回転管３と接続管４とを順に通った後に、集塵ホースを介して掃除機本体に吸い込まれていく。
【０００９】
【特許文献１】
特開平１１−３１６４９７号公報
【００１０】
【発明が解決しようとする課題】
ところで、上述の吸込口体１では、吸込口本体２内に配置されたモータＭと回路基板（図示せず）との重量が大きく異なっており、モータＭの方が重くなっている。
【００１１】
そして、重量が大きく異なるモータＭと回路基板（図示せず）とが回転管３を挟んで互いに反対側に位置しているので、これらが配設された吸込口本体２の長手方向両側部の重量が異なることとなっていた。
【００１２】
そのため、吸込口本体２を被清掃面上に載置されている状態から上方に持ち上げた場合、吸込口体２の自重によって、接続管４が最下方に回動すると共に、このモータＭが配置されている側に向かって回転管３が回動することがあった。
【００１３】
これにより、吸込口本体２が傾いてしまい、被清掃面上に載置する時の載置感に違和感が生じるという問題があった。
【００１４】
また、被清掃面がフローリング等の硬質面であると、吸込口本体２の端部等がぶつかって被清掃面及び吸込口体１がそれぞれ傷つくおそれがある上、大きな当接音が生じることもあった。
【００１５】
一方、上述のような問題を解消するために、吸込口本体２と回転管３との接触摩擦抵抗を大きくすることによって、吸込口本体２を持ち上げた際の回転管３の左右回動動作を抑制するようにした吸込口体が考えられている。
【００１６】
しかしながら、このような吸込口体では、吸込口本体２と回転管３との接触摩擦抵抗が大きすぎるため、使用当初において回転管３のスムーズな左右回動動作が行えず使い勝手が悪いという問題が生じていた。
【００１７】
また、この吸込口体を長期間にわたって使用すると、吸込口本体２と回転管３との接触部分が磨耗してしまい、吸込口本体２を持ち上げた際の回転管３の左右回動動作を抑制する効果が薄れてくるという問題があった。
【００１８】
この発明は、上記問題に鑑みてなされたもので、吸込口本体を持ち上げて接続管が最下方に回動した際に回転管が左右回動することを長期間にわたって防止すると共に、使用中は回転管が円滑に左右回動して使用感を損なうことがない電気掃除機用吸込口体を提供することを目的としている。
【００１９】
【課題を解決するための手段】
上記課題を解決するために、この発明の電気掃除機用吸込口体は、底面に開口する吸込室を有する吸込口本体と、吸込口本体の後方に左右回動自在に取り付けられ且つ吸込室に連通する回転管と、回転管の軸線に対して上下回動自在に取り付けられ且つ回転管に連通する接続管とを備え、吸込口本体及び接続管には、接続管が最下方に回動させられた時に回転管の左右回動を防止する回動防止手段が設けられたことを特徴としている。
【００２０】
この発明によれば、吸込口本体及び接続管に回転管の左右回動を防止する回転防止手段を設けたので、吸込口本体を被清掃面上から持ち上げた時、吸込口本体の自重により接続管が最下方に回動しても、回転管の左右回動を防止することができる。
【００２１】
そのため、吸込口本体を持ち上げてもほぼ水平状態を維持して傾くことがなくなり、被清掃面に載置する際に違和感が生じることを緩和できる。また、被清掃面が硬質面であっても、吸込口本体の載置時に当接音が生じたり、被清掃面及び吸込口本体に傷がついたりすることを防止できる。
【００２２】
そして、吸込口本体と回転管との接触摩擦抵抗を十分小さくすることができるので、使用当初から回転管が円滑に左右回動し、使用感が損なわれることはない。さらに、回転防止手段の回動防止力は磨耗が生じても低下しにくいので、吸込口本体を持ち上げた際に回転管が左右回動することを長期間にわたって防止することができる。
【００２３】
さらに、家具と下側の隙間等を掃除するために接続管を最下方に回動させた際にも回転管の左右回動を防止でき、吸込口本体がぶつかって家具等の下面や被清掃面を傷つけることを防止できる。また、回転管の左右方向が安定し、狭い隙間でも掃除をすることが容易になる。
【００２４】
【発明の実施の形態】
以下、図面に基づいてこの発明の実施の形態を説明する。
【００２５】
図１に示す１０は電気掃除機であり、掃除機本体１１と、一端が掃除機本体１１に着脱自在に接続された集塵ホース１２と、集塵ホース１２の他端に手元操作管１３を介して着脱自在に接続された延長管１４と、延長管１４の先端に着脱自在に接続された吸込口体２０とを有している。
【００２６】
掃除機本体１１内の後部には電動送風機１１ａが配置されており、この電動送風機１１ａの前側に設けられた図示しない集塵室に吸込負圧を作用させる。また、集塵室（図示しない）は集塵ホース１２、手元操作管１３、延長管１４を順に介して吸込口体２０と連通している。なお、１１ｂは図示しない集塵室内に配設された集塵袋である。
【００２７】
吸込口体２０は、左右方向に長く形成された吸込口本体２１と、この吸込口本体２１の後方に左右回動自在に取り付けられた回転管２２と、この回転管２２の軸線Ｊ２に対して上下回動自在に取り付けられた接続管２３とを備えている。
【００２８】
吸込口本体２１は、被清掃面に対向する下ケース２１ａと、この下ケース２１ａ上に重ねられる上ケース２１ｂとを有している。
【００２９】
そして、この吸込口本体２１の内部には、図２に示すように、底面に開口する吸込室２４が形成されると共に、この吸込室２４内に回動自在に設けられた回転清掃体２５を回動させるモータＭが配置されている。
【００３０】
吸込室２４は、吸込口本体２１の前側に左右方向に長く形成されており、吸込口本体２１の長手方向長さとほぼ同じ長手方向の長さを有している。
【００３１】
モータＭは、吸込室２４の後側に配置され、後述するように吸込口本体２１の長手方向中央部に位置している回転管２２の側方に位置している。そして、回転管２２を挟んでモータＭの反対側には図示しない回路基板等が配置されている。
【００３２】
ここで、モータＭと図示しない回路基板等では、モータＭの重量の方が重くなっている。そのため、吸込口本体２１は回転管２２を挟んでモータＭを配設した側が重くなり、長手方向両側部の重量が異なっている。
【００３３】
このように、吸込口本体２１は長手方向両側部の重量が異なっており、吸込口本体２１の重量の中心である重心Ｇは図２に示すように、モータＭの近傍に位置することとなる。
【００３４】
さらに、図３に示すようにこの吸込口本体２１の後面部２１ｃには、後方に向かって延びる一対の車輪受け２６ａ、２６ｂが形成され、この一対の車輪受け２６ａ、２６ｂ間には車輪２７が回動自在に保持されている。
【００３５】
車輪２７は吸込口本体２１の長手方向中央部に位置しており、一方の車輪受け２６ａはモータＭの後方に位置するように形成され、他方の車輪受け２６ｂは図示しない回路基板の後方に位置するように形成されている。
【００３６】
回転管２２は、両端が開放した中空なほぼ円筒形状を呈しており、吸込口本体２１の長手方向に直交する軸線Ｊ１回りに左右回動自在に取り付けられている。ここで、この回転管２２は、下ケース２１ａと上ケース２１ｂとによって摺動回動可能に挟持されている。なお、回転管２２の回動方向は図３に矢印Ｘで示す。
【００３７】
また、この回転管２２は、吸込口本体２１の長手方向中央部に位置しており、回転管２２の軸線Ｊ２はモータＭの近傍に位置している吸込口本体２１の重心Ｇとずれている。
【００３８】
そして、回転管２２は吸込室２４に面した前端がこの吸込室２４内に開放しており、吸込室２４と回転管２２とが連通している。
【００３９】
接続管２３は、回転管２２と同様に両端が開放した中空の筒形状を呈しており、回転管２２の軸線Ｊ２に対して上下回動自在に回転管２２の他端に取り付けられている。ここで、吸込口本体２１の長手方向に直交する軸線Ｊ１と回転管２２の軸線Ｊ２とは一致しているので、接続管２３は吸込口本体２１の長手方向に直交する軸線Ｊ１に対しても上下回動自在となっている。なお接続管２３の回動方向は図３に矢印Ｙで示す。
【００４０】
また、接続管２３の一端は回転管２２の内部に開放しており、回転管２２と連通している。そして、接続管２３の他端は延長管１４の先端に着脱自在に挿入固定可能となっている。
【００４１】
さらに、この吸込口本体２１及び接続管２３には、接続管２３が最下方に回動した時に、回転管２２の左右回動を防止する回転防止手段３０が設けられている。またこのとき、回転管２２の軸線Ｊ２と接続管２３の軸線Ｊ３（図３において一致している）とはほぼ一致する。
【００４２】
そして、この回転防止手段３０は、互いに当接可能な第一凸部３１と第二凸部３２とを有している。
【００４３】
第一凸部３１は、図３に示すように、吸込口本体２１の後面部２１ｃに設けられた一方の車輪受け２６ａの上面に位置すると共に、接続管２３に向かって突出するように形成されている。
【００４４】
一方、第二凸部３２は、図３に示すように、接続管２３の周面に位置すると共に、この接続管２３が最下方に回動した状態において一方の車輪受け２６ａに向かって突出するように形成されている。
【００４５】
なお、この第一、第二凸部３１、３２は、それぞれ長期間使用して表面に磨耗が生じても十分に当接することができる大きさに形成されている。
【００４６】
そして、図４（ａ）に示すように、接続管２３が最下方に回動している時に、図４（ｂ）に示すように回転管２２を時計回り方向（矢印Ｐで示す）に回動させると、回転防止手段３０の第一凸部３１と第二凸部３２とは、回転管２２が僅かに回動しただけで当接する。
【００４７】
このように第一、第二凸部３１、３２が互いに当接することにより、接続管２３が最下方に回動している時に、回転管２２の左右回動を防止することができる。
【００４８】
一方、図５（ａ）に示すように、接続管２３が最下方の位置から上方に向かって回動して、回転管２２の軸線Ｊ２と接続管２３の軸線Ｊ３とがずれている時では、図５（ｂ）に示すように回転管２２を時計回り方向（矢印Ｐで示す）に回動させると、回転防止手段３０の第一凸部３１と第二凸部３２とは当接することがなく、回転管２２は円滑に回動することができる。
【００４９】
このように、回転防止手段３０は、接続管２３が最下方の位置から上方に向かって回動し、回転管２２の軸線Ｊ２と接続管２３の軸線Ｊ３とがずれている場合に解除され、第一、第二凸部３１、３２が互いに当接することがなくなる。そして、回転管２２を所望の角度まで回動させることができ、接続管２３を傾けることが可能となる。
【００５０】
次に、この吸込口体２０の作用について説明する。
【００５１】
この吸込口体２０を使用するには、まず、掃除機本体１１に接続された集塵ホース１２に連通する延長管１４の先端に、接続管２３の他端を挿入固定する。そして、図示しない駆動スイッチをＯＮして電動送風機１１ａを駆動させ、吸込負圧を集塵室に作用させる。
【００５２】
そして、集塵室に作用した吸込負圧は、集塵ホース１２、手元操作管１３、延長管１４を順に介して吸込口体２０内の吸込室２４内に作用し、底面に設けられた開口から被清掃面上の塵埃を吸い込んでいく。また、このときの電気掃除機１０の姿勢は図１に示すようになっている。
【００５３】
そのため、図５（ａ）に示すように、吸込口体２０の接続管２３は最下方の位置から上方に向かって回動しており、回転管２２の軸線Ｊ２と接続管２３の軸線Ｊ３とがずれている。
【００５４】
そして、このように接続管２３が最下方の位置から上方に向かって回動して、回転管２２の軸線Ｊ２と接続管２３の軸線Ｊ３とがずれているので、図５（ｂ）に示すように回転防止手段３０が解除され、回転管２２が円滑に左右回動して接続管２３を所望の角度まで容易に傾けて掃除をすることができる。
【００５５】
また、延長管１４の先端を上方に向けて吸込口体２０を被清掃面から上方に持ち上げた場合では、吸込口体２０の自重により接続管２３が回転管２２に対して相対的に下方に回動し、接続管２３が最下方に位置して、回転管２２の軸線Ｊ２と接続管２３の軸線Ｊ３とがほぼ一致する。
【００５６】
また、このとき、吸込口本体２１の内部に配置されたモータＭの近傍に位置する重心Ｇに大きな荷重がかかることとなる。そのため、この重心Ｇと軸線Ｊ２とがずれている回転管２２には、吸込口本体２１内に配置されたモータＭ側が傾く方向に回動する力が作用する。
【００５７】
このように、回転管２２に力が作用すると、図４（ｂ）に示すように、回転防止手段３０の第一、第二凸部３１、３２が互いに当接する。そのため、回転管２３の左右回動が防止され、吸込口本体２１をほぼ水平状態に保持したまま持ち上げることができる。
【００５８】
これにより、回転管２２の軸線Ｊ２と重心Ｇとがずれている吸込口本体２１を持ち上げた時に、接続管２３が最下方に回動し、重心Ｇが位置して重量が重くなっている方に吸込口本体２１が傾くことを防止し、この吸込口本体２１を被清掃面上に載置する時の載置感に違和感が生じることをなくして、使用しやすくすることができる。
【００５９】
また、被清掃面が硬質面であっても、吸込口本体２１をほぼ水平状態で載置することができ、被清掃面及び吸込口体２０をそれぞれ傷つけることを防止すると共に、大きな当接音が生じることも防止できる。
【００６０】
さらに、吸込口本体２１に形成された第一凸部３１と、接続管２３に形成された第二凸部３２とが当接することで回転管２２の左右回動を防止しているので、吸込口本体２１と回転管２２との接触摩擦抵抗を十分小さくすることができる。これにより、使用当初から回転管２２を円滑に左右回動させることができて、使用感が損なわれることはない。
【００６１】
また、大きく突出形成された第一、第二凸部３１、３２は、磨耗が生じても互いに十分当接することができるので、長期間の使用によって第一，第二凸部３１，３２の表面に磨耗が生じても回転防止手段３０の回動防止力は低下しにくい。これにより吸込口本体２１を持ち上げた際に回転管２２が左右回動することを長期間にわたって確実に防止することができる。
【００６２】
一方、接続管２３を最下方から上方に向かって回動させて被清掃面を清掃する通常の使用状態では、上述のように回転管２２の軸線Ｊ２と接続管２３の軸線Ｊ３とがずれており、回転防止手段３０は解除されている。そのため、接続管２３を上方に向かって回動させた使用状態において回転管２２の左右回動が防止されることがなく、使用感を損なうことがない。
【００６３】
また、吸込口体２０を被清掃面から持ち上げた時に限らず、家具の下側の隙間等を掃除するために、接続管２３を最下方に回動させたときに、隙間内で回転管２２が左右回動することを防止できる。これにより、吸込口体２１と家具等の下面や被清掃面との接触を防止して、家具等が傷つくことを防ぐこともできる。
【００６４】
さらに、接続管２３を最下方から上方に向かって回動させて回転管２２の軸線Ｊ２と接続管２３の軸線Ｊ３とをずらすだけで回転防止手段３０を容易に解除することができるので、手間がかからず簡単にこの回転防止手段３０を解除することができる。
【００６５】
【発明の効果】
この発明によれば、吸込口本体を持ち上げて接続管が最下方に回動した際に回転管が左右回動することを長期間にわたって防止すると共に、使用中は回転管が円滑に左右回動して使用感を損なうことがない電気掃除機用吸込口体を提供することができる。
【図面の簡単な説明】
【図１】この発明に係る電気掃除機用吸込口体を備えた電気掃除機の全体斜視図である。
【図２】この発明に係る電気掃除機用吸込口体の上ケースを外した状態の斜視図である。
【図３】この発明に係る電気掃除機用吸込口体を後方視した場合の斜視図である。
【図４】（ａ）接続管が最下方に回動した場合の要部拡大背面図である。
（ｂ）図４（ａ）において回転管が左右回動した場合の要部拡大背面図である。
【図５】（ａ）接続管が最下方から上方に向かって回動した場合の斜視図である。
（ｂ）図５（ａ）において回転管が左右回動した場合の斜視図である。
【図６】（ａ）従来の電気掃除機用吸込口体を示す斜視図である。
（ｂ）従来の電気掃除機用吸込口体の吸込口本体の内部を示す斜視図である。
【符号の説明】
２０                電気掃除機用吸込口体
２１                吸込口本体
２２                回転管
２３                接続管
３０                回転防止手段
Ｊ２                軸線
【図１】
2005046235.tif 000003
【図２】
2005046235.tif 000004
【図３】
2005046235.tif 000005
【図４】
2005046235.tif 000006
【図５】
2005046235.tif 000007
【図６】
2005046235.tif 000008